【手続補正書】
【提出日】平成20年1月31日(2008.1.31)
【手続補正１】
【補正対象書類名】明細書
【補正対象項目名】特許請求の範囲
【補正方法】変更
【補正の内容】
【特許請求の範囲】
【請求項１】  ポリウレタン製品を製造するための方法であって、該方法が、
（ａ）  少なくとも１つの有機ポリイソシアネートと、
（ｂ）  ポリオール組成物と
の混合物を反応させることによって行われ、前記ポリオール組成物が、
（ｂ１）  ２〜８の官能価と２０〜８００のヒドロキシル価とを有する０〜９５重量パーセントのポリオール化合物と、
（ｂ２）  １〜８の官能価と２０〜８００のヒドロキシル価とを有する５〜１００重量パーセントの少なくとも１つのポリオール化合物と
を含み、
前記重量パーセントがポリオール成分（ｂ）の総量に基づいており、前記（ｂ２）が以下の（ｂ２ａ）、（ｂ２ｂ）、（ｂ２ｃ）または（ｂ２ｄ）であり、
（ｂ２ａ）  式
ＨmＡ−（ＣＨ2）n−Ｎ（Ｒ）−（ＣＨ2）p−ＡＨm      式（Ｉ）
の少なくとも１つのイニシエータ分子をアルコキシル化することにより得られ、
この場合ｎおよびｐは独立に２〜６の整数であり、
Ａは現れる毎に独立に酸素、窒素または水素であり、ただし或る場合には、Ａの一方だけが水素であってよく、
ＲはＣ1〜Ｃ3アルキル基であり、
ｍは、Ａが水素の場合、０に等しく、Ａが酸素の場合、１であり、Ａが窒素の場合、２であり；または、
（ｂ２ｂ）  ポリオール鎖内にアルキルアミンを含有するか、または、ポリオール鎖に側基を形成するジアルキリルアミノ基を含有する化合物であり、ポリオール鎖が、アルキルアジリジンまたはＮ，Ｎ−ジアルキルグリシジルアミンを含有する少なくとも１つのモノマーを、少なくとも１つの酸化アルキレンと共重合することにより得られ、アミンのアルキル分またはジアルキル分がＣ1〜Ｃ3アルキルであり；または、
（ｂ２ｃ）  過剰の前記（ｂ２ａ）または（ｂ２ｂ）とポリイソシアネートとの反応から得られた、ヒドロキシル基を先端に持つプレポリマーであり；または、
（ｂ２ｄ）  前記（ｂ２ａ）、（ｂ２ｂ）または（ｂ２ｃ）から選択されたブレンドであり；
（ｃ）  前記混合物の反応を、任意には発泡剤の存在において行い、さらに、
（ｄ）  前記混合物の反応を、任意には、ポリウレタンのフォーム、エラストマーおよび／またはコーティングの製造のために、それ自体は公知の添加剤または助剤の存在において行う
ことを特徴とする、ポリウレタン製品を製造するための方法。
【請求項２】  前記式Ｉ中の前記Ａが、現れる毎に窒素である、請求項１に記載の方法。
【請求項３】  前記式Ｉによって表現された化合物が、３，３’−ジアミノ−Ｎ−メチルジプロピルアミン、３，３’−ジアミノ−Ｎ−エチルジプロピルアミン、２，２’−ジアミノ−Ｎ−メチルジエチルアミンである、請求項２に記載の方法。
【請求項４】  前記式Ｉ中の前記Ａが、現れる毎に酸素である、請求項１に記載の方法。
【請求項５】  前記式Ｉによって表現された化合物が、Ｎ−メチルジエタノールアミンまたはＮ−メチルジプロパノールアミンである、請求項４に記載の方法。
【請求項６】  前記式Ｉ中、一方のＡが酸素であり、他方のＡが窒素である、請求項１に記載の方法。
【請求項７】  前記式Ｉによって表現された化合物が、Ｎ−（２−ヒドロキシエチル）−Ｎ−メチル−１，３−プロパンジアミン、またはＮ−（２−ヒドロキシエチル）−Ｎ−メチル−１，２−エタンジアミンである、請求項６に記載の方法。
【請求項８】  前記（ｂ２ｂ）がアルキルアジリジンから誘導される、請求項１に記載の方法。
【請求項９】  前記アルキルアジリジンがメチルアジリジンである、請求項８に記載の方法。
【請求項１０】  前記（ｂ２ｂ）がＮ，Ｎ−ジアルキルグリシジルアミンから誘導される、請求項１に記載の方法。
【請求項１１】  前記Ｎ，Ｎ−ジアルキルグリシジルアミンが、Ｎ，Ｎ−ジメチルグリシジルアミンである、請求項１０に記載の方法。
【請求項１２】  前記ポリオール（ｂ１）および（ｂ２）が、平均官能価３〜６と、平均ヒドロキシル価２００〜８００とを有する、硬質ポリウレタンフォームを形成するための、請求項１から１１までのいずれか１項記載の方法。
【請求項１３】  前記発泡剤が、炭化水素、ヒドロクロロフルオロカーボン、ヒドロフルオロカーボン、ヒドロクロロカーボンまたはそれらの混合物である、請求項１２に記載の方法。
【請求項１４】  前記発泡剤が前記（ｂ）の１００重量部当たり、０．５〜１０重量部の水を含有する、請求項１３に記載の方法。
【請求項１５】  前記反応混合物が１つまたは複数の難燃剤を含有する、請求項１４に記載の方法。
【請求項１６】  前記ポリイソシアネートが、ポリメチレンポリフェニレンジイソシアネート、または、ジフェニルメチレンジイソシアネートの異性体、またはそれらの混合物である、請求項１３から１５までのいずれか１項に記載の方法。
【請求項１７】  前記ポリオール（ｂ１）および（ｂ２）が、平均官能価２〜４と、平均ヒドロキシル価２０〜１００とを有する、軟質ポリウレタンフォームを形成するための、請求項１から１１までのいずれか１項記載の方法。
【請求項１８】  前記発泡剤が前記成分（ｂ）の０．５〜１０重量部の量の水である、請求項１７に記載の方法。
【請求項１９】  発泡助剤として作用するために、前記配合に二酸化炭素が気体または液体として使用される、請求項１８に記載の方法。
【請求項２０】  遅延作用添加剤として、または、カルボン酸の場合には発泡剤として作用するために、前記ポリウレタン配合に酸が使用される、請求項１７に記載の方法。
【請求項２１】  前記ポリイソシアネートが、トルエンジイソシアネート、ポリメチレンポリフェニレンジイソシアネート、ジフェニルメチレンジイソシアネートの異性体またはそれらの混合物である、請求項１７から２０までのいずれか１項記載の方法。
【請求項２２】  エラストマー、コーティングまたは接着剤を製造するための、請求項１から１１までのいずれか１項記載の方法。
【請求項２３】  一体化スキン層を含有するフォームを製造するための、請求項１から１１までのいずれか１項記載の方法。
【請求項２４】  前記ポリイソシアネート（ａ）が、前記（ｂ２ａ）または（ｂ２ｂ）のアルキルアミン基を含有するポリオールと過剰ポリイソシアネートとの反応生成物である少なくとも１つのポリイソシアネートを含有する、請求項１から２３までのいずれか１項記載の方法。
【請求項２５】  前記ポリオール（ｂ）が、過剰ポリオールとポリイソシアネートとの反応によって得られた、ポリオールを末端基とするプレポリマーを含有し、前記ポリオールが、前記（ｂ２）によって定義されるポリオールであるか、または、前記（ｂ２）と別のポリオールとの混合物である、請求項１から２３までのいずれか１項記載の方法。
【請求項２６】  請求項１から１６までのいずれか１項に記載の方法によって製造された硬質ポリウレタン製品。
【請求項２７】  請求項１から１１および請求項１７から１９までのいずれか１項に記載の方法によって製造された軟質ポリウレタン製品。
【請求項２８】  請求項１から１１までのいずれか１項または請求項１３に記載の方法によって製造されたエラストマー、コーティングまたは接着製品。
【請求項２９】  請求項１から１１までのいずれか１項または請求項２２に記載の方法によって製造された一体化スキン層付き製品。
【請求項３０】  自触媒ポリオール組成物であって、該組成物が、式
ＨmＡ−（ＣＨ2）n−Ｎ（Ｒ）−（ＣＨ2）p−ＡＨm      式（Ｉ）
の少なくとも１つのイニシエータ分子をアルコキシル化することにより得られる、５〜１００重量パーセントのポリオールを含有し、
この場合ｎおよびｐは独立に２〜６の整数であり、
Ａは現れる毎に独立に酸素、窒素または水素であり、ただし或る場合には、Ａの一方だけが水素であってよく、
ＲはＣ1〜Ｃ3アルキル基であり、
ｍは、Ａが水素の場合、０に等しく、Ａが酸素の場合、１であり、Ａが窒素の場合、２であり；
ただし、前記イニシエータがＮ−メチルジエタノールアミンではない
ことを特徴とする、自触媒ポリオール組成物。
【請求項３１】  請求項１に記載の（ｂ２ａ）または（ｂ２ｂ）によって定義された、過剰のポリオールまたはそれらの混合物と、ポリイソシアネートとの反応によって形成されたプレポリマー。
【請求項３２】  硬化時間が、標準的なポリウレタン触媒を含有する同様の反応混合物と実質的に等価であるような量で、前記（ｂ２）が存在し、前記（ｂ２）との反応混合物が、最低１０重量パーセント少ない触媒を含有する、請求項１から２１までのいずれか１項に記載の方法。
【請求項３３】  ポリウレタンのフォームを製造するための方法であって、該方法が、
（ａ）  少なくとも１つの有機ポリイソシアネートと、
（ｂ）  ポリオール組成物と
の混合物を反応させることによって行われ、前記ポリオール組成物が、
（ｂ１）  ２〜８の官能価と２０〜８００のヒドロキシル価とを有する０〜９５重量パーセントのポリオール化合物と、
（ｂ２）  １〜８の官能価と２０〜８００のヒドロキシル価とを有する５〜１００重量パーセントの少なくとも１つのポリオール化合物と
を含み、
前記重量パーセントがポリオール成分（ｂ）の総量に基づいており、前記（ｂ２）が以下の（ｂ２ａ）、（ｂ２ｂ）、（ｂ２ｃ）または（ｂ２ｄ）であり、
（ｂ２ａ）  式
ＨmＡ−（ＣＨ2）n−Ｎ（Ｒ）−（ＣＨ2）p−ＡＨm      式（Ｉ）
の少なくとも１つのイニシエータ分子をアルコキシル化することにより得られ、
この場合ｎおよびｐは独立に２〜６の整数であり、
Ａは現れる毎に独立に酸素、窒素または水素であり、ただし或る場合には、Ａの一方だけが水素であってよく、
ＲはＣ1〜Ｃ3アルキル基であり、
ｍは、Ａが水素の場合、０に等しく、Ａが酸素の場合、１であり、Ａが窒素の場合、２であり；または、
（ｂ２ｂ）  ポリオール鎖内にアルキルアミンを含有するか、または、ポリオール鎖に側基を形成するジアルキリルアミノ基を含有する化合物であり、前記ポリオール鎖が、アルキルアジリジンまたはＮ，Ｎ−ジアルキルグリシジルアミンを含有する少なくとも１つのモノマーを、少なくとも１つの酸化アルキレンと共重合することにより得られ、アミンのアルキル分またはジアルキル分がＣ1〜Ｃ3アルキルであり；または、
（ｂ２ｃ）  過剰の前記（ｂ２ａ）または（ｂ２ｂ）とポリイソシアネートとの反応から得られた、ヒドロキシル基を先端に持つプレポリマーであり；または、
（ｂ２ｄ）  前記（ｂ２ａ）、（ｂ２ｂ）または（ｂ２ｃ）から選択されたブレンドであり；
（ｃ）  前記混合物の反応を、発泡剤の存在において行い、さらに、
（ｄ）  前記混合物の反応を、任意には、ポリウレタンのフォームの製造のために、それ自体は公知の添加剤または助剤の存在において行う
ことを特徴とする、ポリウレタンのフォームを製造するための方法。